(57)【特許請求の範囲】
【請求項１】
モバイル無線ブロードバンド・システムとの短距離時分割デュプレクス（ＴＤＤ）モバイル無線システム（ＭＷＳ）の同時動作のための方法であって、
前記モバイル無線ブロードバンド・システムのタイミング設定を決定することと、
これら両無線システム間の干渉を緩和しながら、少なくとも１つの時間スロット内に、前記両無線システムの同時動作を可能にする送信機会と受信機会とを特定する時間スロット・マップを、前記タイミング設定に基づいて生成することと、を備え、
前記時間スロット・マップは、前記短距離ＴＤＤシステムの通信パケット構造と、前記タイミング設定が衝突するアップリンク／ダウンリンク境界とを、前記両無線システム間で整合させるパケット長さ選択情報を備える、方法。
【請求項２】
短距離ＴＤＤ  ＭＷＳパケットが、前記タイミング設定のガード帯域と整合するように、前記ガード帯域に基づいて、スニフ・アンカ・ポイントを設定すること、をさらに備える請求項１に記載の方法。
【請求項３】
遠隔の短距離ＴＤＤ  ＭＷＳデバイスへメッセージを送信することをさらに備え、
前記メッセージは、前記タイミング設定において連続するガード帯域間の期間に等しい、前記遠隔の短距離ＴＤＤ  ＭＷＳデバイスのためのアクティブな通信期間を設定する、請求項１に記載の方法。
【請求項４】
前記決定することと、前記生成することとは、マルチ・システム・デバイスにおいて行われ、
前記マルチ・システム・デバイスは、前記モバイル無線ブロードバンド・システムにおいて通信しており、前記短距離ＴＤＤ  ＭＷＳにおいて、遠隔の短距離ＴＤＤ  ＭＷＳデバイスと通信する、請求項１に記載の方法。
【請求項５】
前記決定することは、前記タイミング設定を示す干渉パターンを検知することを備え、
前記検知することと、前記生成することと、前記送信することとは、第１の短距離ＴＤＤ  ＭＷＳデバイスと通信している第２の短距離ＴＤＤ  ＭＷＳデバイスにおいて行われる、請求項１に記載の方法。
【請求項６】
前記短距離ＴＤＤ  ＭＷＳは、ＢＬＵＥＴＯＯＴＨ（登録商標）システムを備え、
前記モバイル無線ブロードバンド・システムは、ロング・ターム・イボリューション（ＬＴＥ）ネットワーク、およびＷｉＭＡＸネットワークのうちの１つを備える、請求項１に記載の方法。
【請求項７】
モバイル無線ブロードバンド・システムとの短距離時分割デュプレクス（ＴＤＤ）モバイル無線システム（ＭＷＳ）の同時動作のための装置であって、
メモリと、
前記メモリに接続された少なくとも１つのプロセッサとを備え、
前記少なくとも１つのプロセッサは、
前記モバイル無線ブロードバンド・システムのタイミング設定を決定し、
これら両無線システム間の干渉を緩和しながら、少なくとも１つの時間スロット内に、前記両無線システムの同時動作を可能にする送信機会と受信機会とを特定する時間スロット・マップを、前記タイミング設定に基づいて生成するように構成され、
前記時間スロット・マップは、前記短距離ＴＤＤシステムの通信パケット構造と、前記タイミング設定が衝突するアップリンク／ダウンリンク境界とを、前記両無線システム間で整合させるパケット長さ選択情報を備える、装置。
【請求項８】
前記少なくとも１つのプロセッサはさらに、短距離ＴＤＤ  ＭＷＳパケットが、前記タイミング設定のガード帯域と整合するように、前記ガード帯域に基づいて、スニフ・アンカ・ポイントを設定するように構成された、請求項７に記載の装置。
【請求項９】
前記少なくとも１つのプロセッサはさらに、遠隔の短距離ＴＤＤ  ＭＷＳデバイスへメッセージを送信するように構成され、
前記メッセージは、前記タイミング設定において連続するガード帯域間の期間に等しい、前記遠隔の短距離ＴＤＤ  ＭＷＳデバイスのためのアクティブな通信期間を設定する、請求項７に記載の装置。
【請求項１０】
前記少なくとも１つのプロセッサはさらに、前記タイミング設定を示す干渉パターンを検知することよって決定するように構成された、請求項７に記載の装置。
【請求項１１】
前記短距離ＴＤＤ  ＭＷＳは、ＢＬＵＥＴＯＯＴＨ（登録商標）システムを備え、
前記モバイル無線ブロードバンド・システムは、ロング・ターム・イボリューション（ＬＴＥ）ネットワーク、およびＷｉＭＡＸネットワークのうちの１つを備える、請求項７に記載の装置。
【請求項１２】
モバイル無線ブロードバンド・システムとの短距離時分割デュプレクス（ＴＤＤ）モバイル無線システム（ＭＷＳ）の同時動作のためのコードを格納したコンピュータ読取可能な記録媒体であって、
前記モバイル無線ブロードバンド・システムのタイミング設定を決定するコードと、
これら両無線システム間の干渉を緩和しながら、少なくとも１つの時間スロット内に、前記両無線システムの同時動作を可能にする送信機会および受信機会を特定する時間スロット・マップを、前記タイミング設定に基づいて生成するコードと、を備え、
前記時間スロット・マップは、前記短距離ＴＤＤシステムの通信パケット構造と、前記タイミング設定が衝突するアップリンク／ダウンリンク境界とを、前記両無線システム間で整合させるパケット長さ選択情報を備える、コンピュータ読取可能な記録媒体。
【請求項１３】
短距離ＴＤＤ  ＭＷＳパケットが、前記タイミング設定のガード帯域と整合するように、前記ガード帯域に基づいて、スニフ・アンカ・ポイントを設定するコードをさらに備える、請求項１２に記載のコンピュータ読取可能な記録媒体。
【請求項１４】
遠隔の短距離ＴＤＤ  ＭＷＳデバイスへメッセージを送信するコードをさらに備え、
前記メッセージは、前記タイミング設定において連続するガード帯域間の期間に等しい、前記遠隔の短距離ＴＤＤ  ＭＷＳデバイスのためのアクティブな通信期間を設定する、請求項１２に記載のコンピュータ読取可能な記録媒体。
【請求項１５】
前記決定するコードは、前記タイミング設定を示す干渉パターンを検知するコードを備える、請求項１２に記載のコンピュータ読取可能な記録媒体。
【請求項１６】
前記短距離ＴＤＤ  ＭＷＳは、ＢＬＵＥＴＯＯＴＨ（登録商標）システムを備え、
前記モバイル無線ブロードバンド・システムは、ロング・ターム・イボリューション（ＬＴＥ）ネットワーク、およびＷｉＭＡＸネットワークのうちの１つを備える、請求項１２に記載のコンピュータ読取可能な記録媒体。
【請求項１７】
モバイル無線ブロードバンド・システムとの短距離時分割デュプレクス（ＴＤＤ）モバイル無線システム（ＭＷＳ）の同時動作のためのシステムであって、
前記モバイル無線ブロードバンド・システムのタイミング設定を決定する手段と、
これら両無線システム間の干渉を緩和しながら、少なくとも１つの時間スロット内に、前記両無線システムの同時動作を可能にする送信機会と受信機会とを特定する時間スロット・マップを、前記タイミング設定に基づいて生成する手段と、を備え、
前記時間スロット・マップは、前記短距離ＴＤＤシステムの通信パケット構造と、前記タイミング設定が衝突するアップリンク／ダウンリンク境界とを、前記両無線システム間で整合させるパケット長さ選択情報を備える、システム。
【発明の詳細な説明】
【優先権主張】
【０００１】
本特許出願は、本願の譲受人に譲渡され、本明細書において参照によって明確に組み込まれている２０１０年７月２０日出願の「モバイル無線ブロードバンド・システムとの短距離ＴＤＤ無線システムの同時動作」（Simultaneous Operation of Short Ranged TDD Wireless Systems with a Mobile Wireless Broadband System）と題された仮特許出願６１／３６６，１３４号の利益を要求する。
【技術分野】
【０００２】
本開示の態様は、一般に、無線通信システムに関し、さらに詳しくは、モバイル無線ブロードバンド・システムとの短距離無線システムの同時動作に関する。
【背景技術】
【０００３】
無線通信ネットワークは、例えば音声、ビデオ、パケット・データ、メッセージング、ブロードキャスト等のようなさまざまな通信サービスを提供するために広く展開されている。これら無線ネットワークは、利用可能なネットワーク・リソースを共有することにより、複数のユーザをサポートすることができる多元接続ネットワークでありうる。通常は多元接続ネットワークであるこのようなネットワークは、利用可能なネットワーク・リソースを共有することによって、複数のユーザのための通信をサポートする。このようなネットワークの１つの例は、ユニバーサル地上ラジオ・アクセス・ネットワーク（ＵＴＲＡＮ）である。ＵＴＲＡＮは、第３世代パートナシップ計画（３ＧＰＰ）によってサポートされている第３世代（３Ｇ）モバイル電話技術である、ユニバーサル・モバイル・テレコミュニケーション・システム（ＵＭＴＳ）の一部として定義されているラジオ・アクセス・ネットワーク（ＲＡＮ）である。このような多元接続ネットワーク・フォーマットの例は、符号分割多元接続（ＣＤＭＡ）ネットワーク、時分割多元接続（ＴＤＭＡ）ネットワーク、周波数分割多元接続（ＦＤＭＡ）ネットワーク、直交ＦＤＭＡ（ＯＦＤＭＡ）ネットワーク、およびシングル・キャリアＦＤＭＡ（ＳＣ−ＦＤＭＡ）ネットワークを含む。
【０００４】
無線通信ネットワークは、多くのユーザ機器（ＵＥ）のための通信をサポートしうる多くの基地局（またはイボルブド・ノードＢ（ｅＮＢ））を含みうる。ＵＥは、ダウンリンクおよびアップリンクによって基地局と通信しうる。ダウンリンク（すなわち順方向リンク）は、基地局からＵＥへの通信リンクを称し、アップリンク（すなわち逆方向リンク）は、ＵＥから基地局への通信リンクを称する。
【０００５】
基地局は、ダウンリンクでＵＥへデータおよび制御情報を送信し、および／または、アップリンクでＵＥからデータおよび制御情報を受信しうる。ダウンリンクでは、基地局からの送信が、近隣の基地局からの、または、その他の無線ラジオ周波数（ＲＦ）送信機からの送信による干渉と遭遇しうる。アップリンクでは、ＵＥからの送信が、近隣の基地局と通信する別のＵＥのアップリンク送信からの、または、別の無線ＲＦ送信機からの干渉と遭遇しうる。この干渉は、ダウンリンクとアップリンクとの両方のパフォーマンスを低下させうる。
【０００６】
モバイル・ブロードバンド・アクセスに対する需要が増加し続けているので、ＵＥが長距離無線通信ネットワークにアクセスすることや、短距離無線システムがコミュニティにおいて展開されることにより、干渉や混雑したネットワークの可能性が高まる。研究開発は、モバイル・ブロードバンド・アクセスのための増加する需要を満たすためのみならず、モバイル通信とのユーザ経験を進化および向上させるために、ＵＭＴＳ技術を進化させ続けている。
【発明の概要】
【０００７】
本開示の１つの態様では、モバイル無線ブロードバンド・システムとの短距離時分割デュプレクス（ＴＤＤ）モバイル無線システム（ＭＷＳ）の同時動作ための方法が提供される。この方法は、モバイル無線ブロードバンド・システムのタイミング設定を決定することを含む。この方法はまた、両無線システム間の干渉を緩和しながら、両無線システムの同時動作を可能にする送信機会と受信機会とを特定する時間スロット・マップを、タイミング設定に基づいて生成することを含む。
【０００８】
別の態様では、モバイル無線ブロードバンド・システムとの短距離時分割デュプレクス（ＴＤＤ）モバイル無線システム（ＭＷＳ）の同時動作のための装置は、メモリと、メモリに接続された少なくとも１つのプロセッサとを備え、プロセッサは、モバイル無線ブロードバンド・システムのタイミング設定を決定するように構成される。プロセッサ（単数または複数）はまた、両無線システム間の干渉を緩和しながら、両無線システムの同時動作を可能にする送信機会と受信機会とを特定する時間スロット・マップを、タイミング設定に基づいて生成するように構成される。
【０００９】
また別の態様では、コンピュータ読取可能な媒体が、モバイル無線ブロードバンド・システムとの短距離時分割デュプレクス（ＴＤＤ）モバイル無線システム（ＭＷＳ）の同時動作のためのコードを明確に格納する。この媒体は、モバイル無線ブロードバンド・システムのタイミング設定を決定するコードを含む。この媒体はさらに、両無線システム間の干渉を緩和しながら、両無線システムの同時動作を可能にする送信機会と受信機会とを特定する時間スロット・マップを、タイミング設定に基づいて生成するコードを含む。
【００１０】
さらなる態様では、モバイル無線ブロードバンド・システムとの短距離時分割デュプレクス（ＴＤＤ）モバイル無線システム（ＭＷＳ）の同時動作のためのシステムは、モバイル無線ブロードバンド・システムのタイミング設定を決定する手段を有する。このシステムはまた、両無線システム間の干渉を緩和しながら、両無線システムの同時動作を可能にする送信機会と受信機会とを特定する時間スロット・マップを、タイミング設定に基づいて生成する手段を有する。
【図面の簡単な説明】
【００１１】
【図１】図１は、モバイル通信システムの例を概念的に例示するブロック図である。
【図２】図２は、モバイル通信システムにおけるダウンリンク・フレーム構造の一例を概念的に例示するブロック図である。
【図３】図３は、アップリンク通信における典型的なフレーム構造を概念的に例示するブロック図である。
【図４】図４は、本開示の１つの態様にしたがって構成された基地局／ｅＮＢとＵＥとの設計を概念的に例示するブロック図である。
【図５】図５は、本開示の１つの態様にしたがって構成されたモバイル無線ブロードバンド・システムのＴＤＤフレーム構造０−２の３つの異なる構成を概念的に例示するブロック図である。
【図６】図６は、本開示の１つの態様にしたがって構成されたモバイル無線ブロードバンド・システムのＴＤＤサブフレームを概念的に例示するブロック図である。
【図７】図７は、本開示の１つの態様にしたがって構成されたスロット・マップを概念的に例示するテーブルである。
【図８】図８は、本開示の態様を実施するように実行されるブロックの例を例示する機能ブロック図である。
【図９】図９は、本開示の１つの態様にしたがって構成されたＬＴＥ−Ａネットワークを概念的に例示するブロック図である。
【図１０】図１０は、本開示の１つの態様を実施するように実行されるブロックの例を例示する機能ブロック図である。
【発明を実施するための形態】
【００１２】
添付図面とともに以下に説明する詳細説明は、さまざまな構成の説明として意図されており、本明細書に記載された概念が実現される唯一の構成を表すことは意図されていない。この詳細説明は、さまざまな概念の完全な理解を提供することを目的とした具体的な詳細を含んでいる。しかしながら、これらの概念は、これら具体的な詳細無しで実現されうることが当業者に明らかになるであろう。いくつかの事例では、周知の構成および構成要素が、このような概念を曖昧にすることを避けるために、ブロック図形式で示されている。
【００１３】
本明細書に記載された技術は、例えばＣＤＭＡ、ＴＤＭＡ、ＦＤＭＡ、ＯＦＤＭＡ、ＳＣ−ＦＤＭＡ、およびその他のネットワークのようなさまざまな無線通信ネットワークのために使用されうる。用語「ネットワーク」および「システム」は、しばしば置換可能に使用される。ＣＤＭＡネットワークは、例えば、ユニバーサル地上ラジオ・アクセス（ＵＴＲＡ）、テレコミュニケーション・インダストリ・アソシエーション（ＴＩＡ）のｃｄｍａ２０００（登録商標）等のようなラジオ技術を実現しうる。ＵＴＲＡ技術は、広帯域ＣＤＭＡ（ＷＣＤＭＡ）、およびＣＤＭＡのその他の変形を含んでいる。ＣＤＭＡ２０００技術は、米国電子工業会（ＥＩＡ）およびＴＩＡからのＩＳ−２０００規格、ＩＳ−９５規格、およびＩＳ−８５６規格を含んでいる。ＴＤＭＡネットワークは、例えばグローバル移動体通信システム（ＧＳＭ（登録商標））のようなラジオ技術を実現しうる。ＯＦＤＭＡネットワークは、例えば、イボルブドＵＴＲＡ（Ｅ−ＵＴＲＡ）、ウルトラ・モバイル・ブロードバンド（ＵＭＢ）、ＩＥＥＥ  ８０２．１１（Ｗｉ−Ｆｉ）、ＩＥＥＥ  ８０２．１６（ＷｉＭＡＸ）、ＩＥＥＥ  ８０２．２０、Ｆｌａｓｈ−ＯＦＤＭ（登録商標）等のようなラジオ技術を実現しうる。ＵＴＲＡ技術およびＥ−ＵＴＲＡ技術は、ユニバーサル・モバイル・テレコミュニケーション・システム（ＵＭＴＳ）の一部である。３ＧＰＰロング・ターム・イボリューション（ＬＴＥ）およびＬＴＥ−アドバンスト（ＬＴＥ−Ａ）は、Ｅ−ＵＴＲＡを使用するＵＭＴＳの新たなリリースである。ＵＴＲＡ、Ｅ−ＵＴＲＡ、ＵＭＴＳ、ＬＴＥ、ＬＴＥ−Ａ、およびＧＳＭは、「第３世代パートシップ計画」（３ＧＰＰ）と呼ばれる団体からの文書に記載されている。ＣＤＭＡ２０００（登録商標）およびＵＭＢは、「第３世代パートナシップ計画２」（３ＧＰＰ２）と呼ばれる団体からの文書に記載されている。本明細書で記載された技術は、他の無線ネットワークおよびラジオ・アクセス技術のみならず、前述された無線ネットワークおよびラジオ・アクセス技術のためにも使用されうる。明確化のために、これら技術のある態様は、以下において、ＬＴＥまたはＬＴＥ−Ａ（代わりに、これらはともに“ＬＴＥ／−Ａ”と称される）について記載されており、このようなＬＴＥ−Ａ用語が以下の説明の多くで使用される。
【００１４】
図１は、ＬＴＥ−Ａネットワークでありうる無線通信ネットワーク１００を示す。無線ネットワーク１００は、多くのイボルブド・ノードＢ（ｅＮＢ）１１０およびその他のネットワーク・エンティティを含む。ｅＮＢは、ＵＥと通信する局であり、基地局、ノードＢ、アクセス・ポイント等とも称されうる。おのおののｅＮＢ１１０は、特定の地理的エリアのために通信有効通信範囲エリアを提供しうる。３ＧＰＰでは、用語「セル」は、この用語が使用されるコンテキストに依存して、この有効通信範囲エリアにサービス提供しているｅＮＢおよび／またはｅＮＢサブシステムからなる特定の地理的有効通信範囲エリアを称しうる。
【００１５】
ｅＮＢは、マクロ・セル、ピコ・セル、フェムト・セル、および／または、その他のタイプのセルのために、通信有効通信範囲を提供しうる。マクロ・セルは、一般に、比較的大きな地理的エリア（例えば、半径数キロメータ）をカバーし、ネットワーク・プロバイダへのサービス加入を持つＵＥによる無制限のアクセスを許可しうる。ピコ・セルは、一般に、比較的小さな地理的エリアをカバーし、ネットワーク・プロバイダへのサービス加入を持つＵＥによる無制限のアクセスを許可しうる。フェムト・セルもまた一般に、比較的小さな地理的エリア（例えば、住宅）をカバーし、無制限のアクセスに加えて、フェムト・セルとの関連付けを持つＵＥ（例えば、クローズド加入者グループ（ＣＳＧ）内のＵＥ、住宅内のユーザのためのＵＥ等）による制限付のアクセスをも提供しうる。マクロ・セルのためのｅＮＢは、マクロｅＮＢと称されうる。ピコ・セルのためのｅＮＢは、ピコｅＮＢと称されうる。そして、フェムト・セルのためのｅＮＢは、フェムトｅＮＢまたはホームｅＮＢと称されうる。図１に示す例では、ｅＮＢ１１０ａ，１１０ｂ，１１０ｃは、マクロ・セル１０２ａ，１０２ｂ，１０２ｃそれぞれのためのマクロｅＮＢでありうる。ｅＮＢ１１０ｘは、ピコ・セル１０２ｘのためのピコｅＮＢでありうる。そして、ｅＮＢ１１０ｙ，１１０ｚは、それぞれフェムト・セル１０２ｙ，１０２ｚのためのフェムトｅＮＢである。ｅＮＢは、１または複数（例えば、２つ、３つ、４つ等）のセルをサポートしうる。
【００１６】
無線ネットワーク１００はさらに、中継局をも含みうる。中継局は、データおよび／またはその他の情報の送信を上流局（例えば、ｅＮＢ、ＵＥ等）から受信し、データおよび／またはその他の情報の送信を下流局（例えば、別のＵＥ、別のｅＮＢ等）へ送信する局である。中継局はまた、他のＵＥのための送信を中継するＵＥでもありうる。図１に示す例では、中継局１１０ｒは、ｅＮＢ１１０ａおよびＵＥ１２０ｒと通信しうる。ここでは、中継局１１０ｒは、２つのネットワーク要素（ｅＮＢ１１０ａとＵＥ１２０ｒ）間の通信を容易にするために、これら２つのネットワーク要素間のリレーとして動作する。中継局はまた、リレーｅＮＢ、リレー等とも称されうる。
【００１７】
無線ネットワーク１００は、同期動作または非同期動作をサポートしうる。同期動作の場合、ｅＮＢは、同じようなフレーム・タイミングを有し、異なるｅＮＢからの送信は、時間的にほぼ揃えられうる。非同期動作の場合、ｅＮＢは、異なるフレーム・タイミングを有し、異なるｅＮＢからの送信は、時間的に揃えられない場合がある。ここに記載された技術は、同期動作のために使用されうる。
【００１８】
ネットワーク・コントローラ１３０は、ｅＮＢのセットに接続しており、これらｅＮＢのための調整および制御を提供しうる。ネットワーク・コントローラ１３０は、バックホール１３２を介してｅＮＢ１１０と通信しうる。ｅＮＢ１１０はまた、例えば、ダイレクトに、または、無線バックホール１３４または有線バックホール１３６を介して非ダイレクトに、互いに通信しうる。
【００１９】
無線ネットワーク１００の全体にわたって、複数のＵＥ１２０が分布しうる。そして、おのおののＵＥは、据置式または移動式でありうる。ＵＥは、端末、移動局、加入者ユニット、局等とも称されうる。ＵＥは、セルラ電話、携帯情報端末（ＰＤＡ）、無線モデム、無線通信デバイス、ハンドヘルド・デバイス、ラップトップ・コンピュータ、コードレス電話、無線ローカル・ループ（ＷＬＬ）局等でありうる。ＵＥは、マクロｅＮＢ、ピコｅＮＢ、フェムトｅＮＢ、リレー等と通信することができうる。図１では、両矢印を持つ実線が、ＵＥと、ダウンリンクおよび／またはアップリンクでＵＥにサービス提供するように指定されたｅＮＢであるサービス提供ｅＮＢとの間の所望の送信を示す。両矢印を持つ破線は、ＵＥとｅＮＢとの間の干渉送信を示す。
【００２０】
ＬＴＥ／−Ａは、ダウンリンクで直交周波数分割多重（ＯＦＤＭ）を、アップリンクでシングル・キャリア周波数分割多重（ＳＣ−ＦＤＭ）を利用する。ＯＦＤＭおよびＳＣ−ＦＤＭは、システム帯域幅を、一般にトーン、ビン等とも称される複数（Ｋ個）の直交サブキャリアに分割する。おのおののサブキャリアは、データとともに変調されうる。一般に、変調シンボルは、ＯＦＤＭを用いて周波数領域で、ＳＣ−ＦＤＭを用いて時間領域で送信される。隣接するサブキャリア間の間隔は固定され、サブキャリアの総数（Ｋ個）は、システム帯域幅に依存しうる。例えば、Ｋは、１．２５，２．５，５，１０，または２０メガヘルツ（ＭＨｚ）の対応するシステム帯域幅についてそれぞれ１２８，２５６，５１２，１０２４，または２０４８にそれぞれ等しい。システム帯域幅はまた、サブ帯域へ分割されうる。例えば、サブ帯域は、１．０８ＭＨｚをカバーし、１．２５，２．５，５，１０，または２０ＭＨｚの対応するシステム帯域幅についてそれぞれ１，２，４，８，または１６のサブ帯域が存在しうる。
【００２１】
図２は、ＬＴＥ／−Ａにおいて使用されるダウンリンクＦＤＤフレーム構造を示す。ダウンリンクの送信タイムラインは、ラジオ・フレームの単位に分割されうる。おのおののラジオ・フレームは、（例えば１０ミリ秒（ｍｓ）のような）予め定められた持続時間を有し、０乃至９のインデクスを付された１０個のサブフレームへ分割されうる。おのおののサブフレームは、２つのスロットを含みうる。したがって、おのおののラジオ・フレームは、０乃至１９のインデクスを付された２０のスロットを含みうる。おのおののスロットは、Ｌ個のシンボル期間、（例えば、図２に示すような）通常のサイクリック・プレフィクスの場合、７つのシンボル期間を含み、拡張されたサイクリック・プレフィクスの場合、１４のシンボル期間を含みうる。おのおののサブフレームでは、２Ｌ個のシンボル期間が、０乃至２Ｌ−１のインデクスを割り当てられうる。利用可能な時間周波数リソースが、リソース・ブロックへ分割されうる。おのおののリソース・ブロックは、１つのスロットにおいてＮ個のサブキャリア（例えば、１２のサブキャリア）をカバーしうる。
【００２２】
ＬＴＥ／−Ａでは、ｅノードＢは、ｅノードＢにおける各セルについて、一次同期信号（ＰＳＣまたはＰＳＳ）と二次同期信号（ＳＳＣまたはＳＳＳ）とを送信しうる。ＦＤＤ動作モードの場合、図２に示すように、一次同期信号および二次同期信号が、通常のサイクリック・プレフィクスを持つ各ラジオ・フレームのサブフレーム０およびサブフレーム５のおのおのにおいて、シンボル期間６およびシンボル期間５でそれぞれ送信されうる。これら同期信号は、セル検出および獲得のためにＵＥによって使用されうる。ＦＤＤ動作モードの場合、ｅノードＢは、サブフレーム０のスロット１におけるシンボル期間０乃至３で、物理ブロードキャスト・チャネル（ＰＢＣＨ）を送信しうる。ＰＢＣＨは、あるシステム情報を伝送しうる。
【００２３】
図２で見られるように、ｅノードＢは、各サブフレームの最初のシンボル期間で、物理制御フォーマット・インジケータ・チャネル（ＰＣＦＩＣＨ）を送信しうる。ＰＣＦＩＣＨは、制御チャネルのために使用されるシンボル期間の数（Ｍ）を伝えうる。ここで、Ｍは、１，２または３に等しく、サブフレーム毎に変化しうる。Ｍはまた、例えば、１０未満のリソース・ブロックのように、小さなシステム帯域幅に対して４に等しくなりうる。図２に示す例では、Ｍ＝３である。ｅノードＢは、おのおののサブフレームの最初のＭ個のシンボル期間において、物理ＨＡＲＱインジケータ・チャネル（ＰＨＩＣＨ）および物理ダウンリンク制御チャネル（ＰＤＣＣＨ）を送信しうる。ＰＤＣＣＨおよびＰＨＩＣＨもまた、図２に示す例における最初の３つのシンボル期間に含まれる。ＰＨＩＣＨは、ハイブリッド自動再送信（ＨＡＲＱ）をサポートするための情報を伝送しうる。ＰＤＣＣＨは、ＵＥのためのアップリンクおよびダウンリンクのリソース割当に関する情報と、アップリンク・チャネルのための電力制御情報とを伝送しうる。ｅノードＢはまた、おのおののサブフレームの残りのシンボル期間で、物理ダウンリンク共有チャネル（ＰＤＳＣＨ）を送信しうる。ＰＤＳＣＨは、ダウンリンクで、データ送信のためにスケジュールされたＵＥのためのデータを伝送しうる。
【００２４】
ｅノードＢは、ｅノードＢによって使用されるシステム帯域幅の中央の１．０８ＭＨｚでＰＳＣ、ＳＳＳ、およびＰＢＣＨを送信しうる。ｅノードＢは、これらのチャネルが送信される各シンボル期間において、システム帯域幅全体で、ＰＣＦＩＣＨおよびＰＨＩＣＨを送信しうる。ｅノードＢは、システム帯域幅のある部分で、ＵＥのグループにＰＤＣＣＨを送信しうる。ｅノードＢは、システム帯域幅の特定の部分で、特定のＵＥに、ＰＤＳＣＨを送信しうる。ｅノードＢは、すべてのＵＥへブロードキャスト方式でＰＳＣ、ＳＳＣ、ＰＢＣＨ、ＰＣＦＩＣＨ、およびＰＨＩＣＨを送信し、ＰＤＣＣＨを、ユニキャスト方式で、特定のＵＥへ送信しうる。さらに、特定のＵＥへユニキャスト方式でＰＤＳＣＨをも送信しうる。
【００２５】
各シンボル期間において、多くのリソース要素が利用可能でありうる。おのおののリソース要素は、１つのシンボル期間において１つのサブキャリアをカバーしうる。そして、実数値または複素数値である１つの変調シンボルを送信するために使用されうる。制御チャネルのために使用されるシンボルのために、各シンボル期間において、基準信号のために使用されないリソース要素が、リソース要素グループ（ＲＥＧ）へ構成されうる。おのおののＲＥＧは、１つのシンボル期間内に、４つのリソース要素を含みうる。ＰＣＦＩＣＨは、シンボル期間０内に４つのＲＥＧを占有しうる。これらは、周波数にわたってほぼ均等に配置されうる。ＰＨＩＣＨは、１または複数の設定可能なシンボル期間内に３つのＲＥＧを占有しうる。これらは、周波数にわたって分散されうる。例えば、ＰＨＩＣＨのための３つのＲＥＧはすべて、シンボル期間０に属しうる。あるいは、シンボル期間０，１，２に分散されうる。ＰＤＣＣＨは、最初のＭ個のシンボル期間内に、９，１８，３６，または７２のＲＥＧを占有しうる。これらは、利用可能なＲＥＧから選択されうる。複数のＲＥＧからなるある組み合わせのみが、ＰＤＣＣＨのために許可されうる。
【００２６】
ＵＥは、ＰＨＩＣＨとＰＣＦＩＣＨとのために使用された特定のＲＥＧを認識しうる。ＵＥは、ＰＤＣＣＨを求めて、ＲＥＧの異なる組み合わせを探索しうる。探索する組み合わせの数は、一般に、ＰＤＣＣＨのために許可された組み合わせの数よりも少ない。ｅノードＢは、ＵＥが探索する組み合わせのうちの何れかのＵＥにＰＤＣＣＨを送信しうる。
【００２７】
ＵＥは、複数のｅノードＢの有効通信範囲内に存在しうる。これらのｅノードＢのうちの１つが、ＵＥにサービス提供するために選択されうる。サービス提供するｅノードＢは、例えば受信電力、経路喪失、信号対雑音比（ＳＮＲ）等のようなさまざまな基準に基づいて選択されうる。
【００２８】
図３は、アップリンク・ロング・ターム・イボリューション（ＬＴＥ／−Ａ）通信における典型的なフレーム構造を概念的に例示するブロック図である。アップリンクのために利用可能なリソース・ブロック（ＲＢ）は、データ・セクションおよび制御セクションに分割されうる。制御セクションは、システム帯域幅の２つの端部において形成され、設定可能なサイズを有しうる。制御セクションにおけるリソース・ブロックは、制御情報の送信のために、ＵＥへ割り当てられうる。データ・セクションは、制御セクションに含まれていないすべてのリソース・ブロックを含みうる。図３における設計の結果、データ・セクションは、連続するサブキャリアを含むようになる。これによって、単一のＵＥに、データ・セクションにおける連続するサブキャリアのすべてが割り当てられるようになる。
【００２９】
ＵＥは、ｅＮＢへ制御情報を送信するために、制御セクションにおいてリソース・ブロックを割り当てられうる。ＵＥはまた、ｅノードＢへデータを送信するために、データ・セクション内にリソース・ブロックを割り当てられうる。ＵＥは、制御セクションにおいて割り当てられたリソース・ブロックで、物理アップリンク制御チャネル（ＰＵＣＣＨ）で制御情報を送信しうる。ＵＥは、データ・セクションにおいて割り当てられたリソース・ブロックで、物理アップリンク共有チャネル（ＰＵＳＣＨ）で、データのみ、または、データと制御情報との両方を送信しうる。アップリンク送信は、サブフレームからなる両スロットにおよび、図３に示すように、周波数を越えてホップしうる。
【００３０】
ＰＳＳ、ＳＳＳ、ＣＲＳ、ＰＢＣＨ、ＰＵＣＣＨ、ＰＵＳＣＨ、および、ＬＴＥ／−Ａで使用されるその他のこのような信号およびチャネルは、公的に利用可能な、「イボルブド・ユニバーサル地上ラジオ・アクセス（Ｅ−ＵＴＲＡ）；物理チャネルおよび変調」（Evolved Universal Terrestrial Radio Access (E-UTRA); Physical Channels and Modulation）と題された３ＧＰＰ  ＴＳ  ３６．２１１に記述されている。
【００３１】
図４は、図１における基地局／ｅＮＢのうちの１つ、およびＵＥのうちの１つでありうる、基地局／ｅＮＢ１１０とＵＥ１２０との設計のブロック図を示す。制約された関連性のシナリオの場合、基地局１１０は、図１におけるマクロｅＮＢ１１０ｃでありうる。そして、ＵＥ１２０は、ＵＥ１２０ｙでありうる。基地局１１０はさらに、その他いくつかのタイプの基地局でもありうる。基地局１１０は、アンテナ４３４ａ乃至４３４ｔを備え、ＵＥ１２０は、アンテナ４５２ａ乃至４５２ｒを備えうる。
【００３２】
基地局１１０では、送信プロセッサ４２０が、データ・ソース４１２からデータを、コントローラ／プロセッサ４４０から制御情報を受信しうる。制御情報は、ＰＢＣＨ、ＰＣＦＩＣＨ、ＰＨＩＣＨ、ＰＤＣＣＨ等用でありうる。データは、ＰＤＳＣＨ等用でありうる。プロセッサ４２０は、データ・シンボルおよび制御シンボルをそれぞれ取得するために、データおよび制御情報を処理（例えば、符号化およびシンボル・マップ）しうる。プロセッサ４２０はさらに、例えばＰＳＳ、ＳＳＳのための基準シンボルや、セル特有の基準信号を生成しうる。送信（ＴＸ）複数入力複数出力（ＭＩＭＯ）プロセッサ４３０は、適用可能であれば、データ・シンボル、制御シンボル、および／または基準シンボルに空間処理（例えば、プリコーディング）を実行し、出力シンボル・ストリームを変調器（ＭＯＤ）４３２ａ乃至４３２ｔに提供しうる。おのおのの変調器４３２は、（例えば、ＯＦＤＭ等のために）それぞれの出力シンボル・ストリームを処理して、出力サンプル・ストリームを得る。おのおのの変調器４３２はさらに、出力サンプル・ストリームを処理（例えば、アナログ変換、増幅、フィルタ、およびアップコンバート）し、ダウンリンク信号を取得する。変調器４３２ａ乃至４３２ｔからのダウンリンク信号は、アンテナ４３４ａ乃至４３４ｔを介してそれぞれ送信されうる。
【００３３】
ＵＥ１２０では、アンテナ４５２ａ乃至４５２ｒが、基地局１１０からダウンリンク信号を受信し、受信した信号を、復調器（ＤＥＭＯＤ）４５４ａ乃至４５４ｒへそれぞれ提供しうる。おのおのの復調器４５４は、受信したそれぞれの信号を調整（例えば、フィルタ、増幅、ダウンコンバート、およびデジタル化）して、入力サンプルを取得しうる。おのおのの復調器４５４はさらに、（例えば、ＯＦＤＭ等のため）これら入力サンプルを処理して、受信されたシンボルを取得しうる。ＭＩＭＯ検出器４５６は、すべての復調器４５４ａ乃至４５４ｒから受信したシンボルを取得し、適用可能である場合、これら受信されたシンボルに対してＭＩＭＯ検出を実行し、検出されたシンボルを提供しうる。受信プロセッサ４５８は、検出されたシンボルを処理（例えば、復調、デインタリーブ、および復号）し、ＵＥ１２０のために復号されたデータをデータ・シンク４６０に提供し、復号された制御情報をコントローラ／プロセッサ４８０へ提供しうる。
【００３４】
アップリンクでは、ＵＥ１２０において、送信プロセッサ４６４が、データ・ソース４６２から（例えばＰＵＳＣＨのための）データを、コントローラ／プロセッサ４８０から（例えばＰＵＣＣＨのための）制御情報を受信し、これらを処理しうる。プロセッサ４６４はさらに、基準信号のための基準シンボルをも生成しうる。送信プロセッサ４６４からのシンボルは、適用可能であれば、ＴＸ  ＭＩＭＯプロセッサ４６６によってプリコードされ、さらに、（例えば、ＳＣ−ＦＤＭ等のために）復調器４５４ａ乃至４５４ｒによって処理され、基地局１１０へ送信される。基地局１１０では、ＵＥ１２０からのアップリンク信号が、アンテナ４３４によって受信され、変調器４３２によって処理され、適用可能な場合にはＭＩＭＯ検出器４３６によって検出され、さらに、受信プロセッサ４３８によって処理されて、ＵＥ１２０によって送信された復号されたデータおよび制御情報が取得される。プロセッサ４３８は、復号されたデータをデータ・シンク４３９に提供し、復号された制御情報をコントローラ／プロセッサ４４０へ提供しうる。
【００３５】
コントローラ／プロセッサ４４０，４８０は、基地局１１０およびＵＥ１２０それぞれにおける動作を指示しうる。基地局１１０におけるプロセッサ４４０および／またはその他のプロセッサおよびモジュールは、本明細書に記載された技術のためのさまざまな処理の実行または実行の指示を行いうる。ＵＥ１２０におけるプロセッサ４８０および／またはその他のプロセッサおよびモジュールは、図８に例示された機能ブロック、および／または、本明細書に記載された技術のためのその他の処理の実行または実行の指示を行いうる。メモリ４４２，４８２は、基地局１１０およびＵＥ１２０それぞれのためのデータおよびプログラム・コードを格納しうる。スケジューラ４４４は、ダウンリンクおよび／またはアップリンクでのデータ送信のためにＵＥをスケジュールしうる。
【００３６】
ＬＴＥ／−Ａネットワークは、モバイル無線ブロードバンド・システムを実現し、周波数分割デュプレクス（ＦＤＤ）とＴＤＤとの両方の動作を提供しうる。例えばＷｉＭＡＸのようなその他のモバイル無線ブロードバンド・システムもまた、ＴＤＤ動作を提供する。ＴＤＤの観点から、ＬＴＥ／−ＡシステムとＷｉＭＡＸシステムは非常に類似しており、各々、非常に類似した一般的なＴＤＤフレーム構造を用いる。本明細書で使用されるように、モバイル無線ブロードバンド・システムは、例えばＬＴＥ／−Ａ、ＷｉＭＡＸ等のようなＴＤＤ動作のための類似のＴＤＤフレーム構造を有するシステムを称するだろう。
【００３７】
モバイル無線ブロードバンド・システムを用いたヘテロジニアスなネットワークを動作させる際、他の短距離ＴＤＤシステムを用いた同時動作が考慮される。このような短距離ＴＤＤシステムの１つの例は、ブルートゥース同好者のＢＬＵＥＴＯＯＴＨ（登録商標）無線プロトコルである。しかしながら、このような多くの短距離ＴＤＤシステムには、送信周波数および受信周波数が割り当てられる。これらは、モバイル無線ブロードバンド・システムのアップリンク送信およびダウンリンク送信と干渉するだろう。ＢＬＵＥＴＯＯＴＨシステムでは、例えば、受信機周波数（すなわち、ＵＥと通信しているＢＬＵＥＴＯＯＴＨデバイスの送信周波数）は、例えばＬＴＥ／−ＡシステムまたはＷｉＭＡＸシステムのようなモバイル無線ブロードバンド・システムのＵＥによって受信されるダウンリンク送信と干渉する一方、ＢＬＵＥＴＯＯＴＨ送信機周波数は、ＵＥのアップリンク送信と干渉する。しかしながら、ＢＬＵＥＴＯＯＴＨにおけるものを含む多くの短距離ＴＤＤシステム受信機周波数は、干渉することなく、モバイル無線ブロードバンド・システム・ダウンリンク送信とともに動作し、これら短距離ＴＤＤシステムの送信機周波数は、干渉することなく、モバイル無線ブロードバンド・システム・アップリンク送信とともに動作しうる。したがって、本開示の１つの態様では、これら両システムの送信および受信は、短距離ＴＤＤシステム送信が、モバイル無線ブロードバンド・システム受信時間とオーバラップせず、かつ、モバイル無線ブロードバンド・システム送信時間が、短距離ＴＤＤシステム受信時間とオーバラップしないように調整される。
【００３８】
図５は、本開示の１つの態様にしたがって構成されたモバイル無線ブロードバンド・システムのＴＤＤフレーム構造０−２の３つの異なる構成を概念的に例示するブロック図である。ＴＤＤフレーム構造０−２の各々は、アップリンク通信およびダウンリンク通信のために確保された１０のサブフレーム、または、ダウンリンク・スロットとアップリンク・スロットとの間にガード帯域を有するダウンリンク時間スロットおよびアップリンク時間スロットを含む特別のサブフレームに分割される。各ガード帯域間のタイミングは５ミリ秒である。ＴＤＤフレーム構造０に示すように、ガード帯域５００とガード帯域５０１との間の時間は５ミリ秒である。ＴＤＤフレーム構造０の構成は、最初に２つのダウンリンク・スロットを有する。その後、ガード帯域５００、および、４つのアップリンク・スロットが続き、５つのサブフレームからなる残りにおいて、同じシーケンスが繰り返される。ＴＤＤフレーム構造０とＴＤＤフレーム構造１，２との違いは、アップリンク・スロットの数に対する、ダウンリンク・スロットの数である。したがって、特定のフレーム構造構成を選択することによって、モバイル無線ブロードバンド・システムは、アップリンク負荷およびダウンリンク負荷における変化に対応することができる。
【００３９】
さまざまなモバイル無線ブロードバンド・システムは、適切な負荷に従って選択されうる複数の異なるＴＤＤフレーム構造構成を定義することが注目されるべきである。図５に例示される３つの構成は、単に、モバイル無線ブロードバンド・システムにおける可能な構成の代表例である。
【００４０】
例えばＢＬＵＥＴＯＯＴＨのような多くの短距離ＴＤＤシステムは、ほとんどがアド・ホック・システムであり、ここでは、互換性を持つデバイス間の通信が、マスタとスレーブの関係でなされる。本開示のさまざまな態様と互換性を持つ短距離ＴＤＤシステムは、送信側と受信側との両方のスロット・パケット・サイズを変更することができる。一般に、短距離ＴＤＤシステムは、１つ、３つ、および５つのスロットからなるスロット・パケット・サイズを選択しうる。さらに、マスタ・デバイスが送信した場合、マスタ送信がアドレスされたスレーブ・デバイスは、マスタ送信後の次の時間スロットにおいて、マスタへ送り返すであろう。したがって、モバイル無線ブロードバンド・システムと同時に動作するために、短距離ＴＤＤシステムの通信パケット構造（すなわち、マスタとスレーブとの通信のための適切なサイズのスロット・パケット）は、モバイル無線ブロードバンド・システムのサブフレーム構成におけるアップリンク／ダウンリンク移行境界と揃えられる必要があるであろう。
【００４１】
図５に再び示すように、ＴＤＤフレーム構造０は、サブフレーム境界５０２において、アップリンク／ダウンリンク移行を経験する。ガード帯域５００とガード帯域５０１との間のＴＤＤフレーム構造０において利用可能な５つの送信時間スロットと２つの受信時間スロットとを用いて、短距離ＴＤＤシステムは、５スロット、３スロット、または１スロットのうちの何れかを送信することを選択しうる。しかし、２つの受信スロットのみしか利用可能ではないので、短距離ＴＤＤ  Ｔｘ／Ｒｘスロット５０３に示されるように、短距離ＴＤＤシステムは、スレーブ・デバイスから、１スロットのみを受信することを選択しうる。短距離ＴＤＤシステムは、マスタ送信とスレーブ送信との間の移行を、サブフレーム境界５０２に揃える必要があるので、送信スロットと受信スロットとの間での分割がなされる。
【００４２】
ＴＤＤフレーム構造１の構成は、ガード帯域５０４とガード帯域５０５との間に、３つのアップリンク・スロットと、３つのダウンリンク・スロットとを提供する。ここでは、サブフレーム境界５０６にあわせて、短距離ＴＤＤシステムは、短距離ＴＤＤ  Ｔｘ／Ｒｘスロット５０７に例示されるように、１スロットまたは３スロットからなるマスタ送信と、１スロットまたは３スロットからなるスレーブ送信とを選択しうる。同様に、ＴＤＤフレーム構造２の構成は、ガード帯域５０８とガード帯域５０９との間に２つのアップリンク・スロットと５つのダウンリンク・スロットのみを提供する。送信をサブフレーム境界５１０にあわせることにより、短距離ＴＤＤシステムは、短距離ＴＤＤ  Ｔｘ／Ｒｘスロット５１１に図示されているように、マスタ・デバイスが１スロットのみを用いて送信することを選択する一方、スレーブ・デバイスは、１スロット、３スロット、または５スロットで送信することを選択しうる。したがって、モバイル無線ブロードバンド・システム内で実施されている特定のＴＤＤフレーム構造に依存して、短距離ＴＤＤシステムが、サブフレーム境界５０２，５０６，５１０のうちの何れかにあわせるために、適切なマスタ送信スロット選択およびスロット送信スロット選択を行っている限り、モバイル無線ブロードバンド・システムおよび短距離ＴＤＤシステムは、干渉を引き起こすことなく、同時に動作しうる。
【００４３】
短距離ＴＤＤシステムは、アド・ホック・ベースで通信するので、適切なスロット選択情報をマスタ／スレーブ・デバイスへどのようにして提供するかに関する考慮がなされる。図６は、本開示の１つの態様にしたがって構成されたモバイル無線ブロードバンド・システムのＴＤＤサブフレーム６００を概念的に例示するブロック図である。ＴＤＤサブフレーム６００の構成は、ガード帯域６１０とガード帯域６０２との間に、５つのアップリンク・スロットと、２つのダウンリンク・スロットとを含む。このサブフレーム構成を用いて、短距離ＴＤＤシステムは、サブフレーム境界６０３においてスレーブ送信を揃えるために、マスタ・デバイスが、５スロット、３スロット、または１スロットの何れかを送信することを選択することを規定する。スレーブ・デバイスは、短距離ＴＤＤ  Ｔｘ／Ｒｘスロット６０４に示されるように、１スロットのみを用いて送信することを選択しうる。
【００４４】
適切なサブフレーム構成情報および関連するスロット選択情報を提供するために、スロット・マップが、短距離ＴＤＤシステム・デバイスへ送信されうる。短距離ＴＤＤデバイスは、これらの間の通信を制御するために、さまざまな管理プロトコルを使用する。例えば、ＢＬＵＥＴＯＯＴＨでは、リンク・マネジャが、さまざまなＢＬＵＥＴＯＯＴＨデバイス間の通信を制御し、リンク・マネジャ・プロトコルを用いて、他のＢＬＵＥＴＯＯＴＨデバイスの他のリンク・マネジャと通信する。リンク・マネジャ・プロトコルは、受信デバイスのためのさまざまな指示を含むメッセージである、さまざまなプロトコル・データ・ユニット（ＰＤＵ）を定義する。
【００４５】
図７は、本開示の１つの態様にしたがって構成されたスロット・マップ７０を概念的に例示するテーブルである。スロット・マップ７０は、ＴＤＤサブフレーム６００（図６）の構成に対応する。マスタ・デバイスとスレーブ・デバイスとの間の通信を確立する際に、マスタ・デバイスは、管理プロトコル・メッセージで、スレーブ・デバイスへスロット・マップ７０を送信する。スロット・マップ７０は、ＴＤＤサブフレーム６００の通信部分（図６）におけるスロットのおのおののためにスロット・サイズ選択情報を提供する詳細な情報のセットを含む。行７００では、スロット０のためのマッピング情報が提供される。ＴＤＤサブフレーム６００の構成（図６）によって、マスタ・スレーブは、スロット０乃至４のみで送信しうる。スロット０には、利用可能な５つのアップリンク・スロットが存在するので、マスタのみが、５スロット・パケット５（Ｙ）を用いて送信することを選択しうる。行７０１では、スロット１情報は、マスタ・デバイスもスレーブ・デバイスも送信しないことを規定している。行７０２では、スロット２情報は、マスタ・デバイスのみが、３スロット・パケット３（Ｙ）を用いて送信することを規定している。行７０３では、スロット３情報は、マスタ・デバイスもスレーブ・デバイスも送信しないことを再度規定している。行７０４では、スロット４情報は、マスタ・デバイスのみが、１スロット・パケット１（Ｙ）のみを用いて送信することを規定している。行７０５では、スロット５情報は、スレーブ・デバイスが送信しうるスロットをカバーする。ＴＤＤサブフレーム６００の構成（図６）は、ガード帯域６０２が終了する前に、２つのみのダウンリンク・スロットを規定している（図６）ので、スロット選択情報は、スレーブ・デバイスが、１スロット・パケット１（Ｙ）のみを用いて送信しうることを規定している。
【００４６】
図６および図７に例示されている本開示の態様が、ＢＬＵＥＴＯＯＴＨを用いて、短距離ＴＤＤシステムとして実施される場合、スロット・マップ７０が、リンク・マネジャ・プロトコルＰＤＵで、マスタ・デバイスからスレーブ・デバイスへ送信されうることが注目されるべきである。さらに、ガード帯域６０１とガード帯域６０２との間のＴＤＤサブフレーム６００のスロットへのデバイスの送信期間を制限し、かつ、サブフレーム境界６０３後のスレーブ送信をスケジュールするために、ＢＬＵＥＴＯＯＴＨスニフ（sniff）またはスニフ・サブレーティング（sniff subrating）機能が使用されうる。スニフおよびスニフ・サブレーティングは、ＢＬＵＥＴＯＯＴＨにおける省電力メカニズムであり、デバイスが、アクティブ通信モードで不変であることなく、接続および同期を続ける期間を指定する。ＢＬＵＥＴＯＯＴＨデバイスは、スニフが生じるであろう場合にネゴシエートし、さまざまな通信を交換するスニフ期間まで、スリープするであろう。
【００４７】
ＢＬＵＥＴＯＯＴＨを用いて短距離ＴＤＤシステムを実現する本開示のさまざまな態様の目的のために、スニフ・モードが、２つのデバイス間の通信期間を定義するために使用されるであろう。スニフ期間Ｔｓｎｉｆｆ６０５は、ガード帯域６０１におけるアンカ・ポイントとガード帯域６０２におけるアンカ・ポイントとの間の５ミリ秒をカバーするために、８に設定され、サブフレーム境界６０３後の時間スロットまでに試行を終了させるために、試行６０６の回数が３に設定され、タイムアウト期間が０に設定されるだろう。これらの機能および設定を用いて、マスタ・デバイスおよびスレーブ・デバイスは、マスタ／スレーブ送信およびアップリンク／ダウンリンク・オーバラップを回避するために、各々のクロックを同期させ、スレーブ送信時間を、サブフレーム境界６０３にあわせることができるだろう。
【００４８】
図８は、本開示の態様を実施するように実行されるブロックの例を例示する機能ブロック図である。ブロック８００では、モバイル無線ブロードバンド・システムのタイミング設定が決定される。ブロック８０１では、このタイミングに基づいて、時間スロット・マップが生成される。この時間スロット・マップは、同時動作のために利用可能な、決定されたＴＤＤフレーム構成における各スロットのパケット長さ（すなわち、スロット−サイズ）選択情報を特定する。パケット長さ選択情報は、短距離ＴＤＤシステムの通信パケット構造と、ＴＤＤフレーム構成のアップリンク／ダウンリンク境界との整合を提供する。１つの実施形態では、時間スロット・マップは、短距離ＴＤＤデバイスに送信される。
【００４９】
同時通信は、モバイル無線ブロードバンド・システムと短距離ＴＤＤシステムとの両方のために同一場所に配置されたトランシーバを有するＵＥと、短距離ＴＤＤデバイスとの間で生じうるか、または、モバイル無線ブロードバンド・システム内の近隣通信によって干渉が引き起こされうるエリア内に存在する２つの短距離ＴＤＤデバイス間で生じうる。
【００５０】
図９は、本開示の１つの態様にしたがって構成されたＬＴＥ−Ａネットワーク９０を概念的に例示するブロック図である。ＬＴＥ−Ａネットワーク９０は、セル９０１内の通信有効通信範囲を提供するマクロ基地局９００を含んでいる。ＵＥ９０２は、ＬＴＥ−Ａネットワーク９０と互換性をもち、セル９０１の現在のトラフィック負荷に基づいて選択されたＴＤＤフレーム構造を用いて、マクロ基地局９００との通信を維持する。ＵＥ９０２はまた、ＢＬＵＥＴＯＯＴＨを介した短距離ＴＤＤ無線通信を実行することができる、同一場所に配置されたＢＬＵＥＴＯＯＴＨトランシーバをも有する。無線デバイス９０３は、ＵＥ９０２の範囲内に位置する、互換性のあるＢＬＵＥＴＯＯＴＨデバイスである。
【００５１】
動作において、ＵＥ９０２は、無線デバイス９０３との同時通信を確立することを望む。ＵＥ９０２は、ＬＴＥ−Ａネットワーク９０内で使用されている現在のＴＤＤフレーム構造構成を判定することによって始まる。ＵＥ９０２は、使用されているＴＤＤフレーム構造が、ＴＤＤフレーム構造１（図５）であると判定する。このフレーム構造情報に基づいて、ＵＥ９０２は、ＢＬＵＥＴＯＯＴＨ通信パケット構造を、ＴＤＤフレーム構造１（図５）のアップリンク／ダウンリンク境界、すなわち、サブフレーム境界５０６（図５）に整合させるためのパケット長さ選択情報を提供するスロット・マップを生成する。このスロット・マップは、同時通信のために利用可能な各スロット、すなわち、ガード帯域５０４とガード帯域５０５（図５）との間のスロットについて、所与のスロットのためにどのスロット・パケットおよびスロット・サイズを選択すべきかを、ＢＬＵＥＴＯＯＴＨ通信の通信側に指示するための命令群を含みうる。
【００５２】
ＵＥ９０２は、スニフ期間を確立するＰＤＵを、試行回数およびタイムアウト値とともに無線デバイス９０３へ送信するために、リンク・マネジャ・プロトコルを使用する。ＵＥ９０２はまた、リンク・マネジャ・プロトコルのＰＤＵを用いて、無線デバイス９０３へスロット・マップを送信する。スニフ命令を用いて、無線デバイス９０３は、ガード帯域５０４とガード帯域５０５（図５）との間の時間スロットに一致させるために、スニフ／通信期間を設定する。そして、特定の現在の時間スロットに対応する適切なパケット長さを選択する場合に、このスロット・マップを用いる。ＴＤＤフレーム構造１（図５）のフレーム構造を用いて、マスタＢＬＵＥＴＯＯＴＨデバイス、すなわちＵＥ９０２は、マスタ送信のために、１−スロット・パケットまたは３−スロット・パケットの何れかを選択しうる。そして、無線デバイス９０３はまた、スレーブ送信をＵＥ９０２へ返すために、１−スロット・パケットまたは３−スロット・パケットの何れかを選択しうる。このようにして、２つの送信のセットが同期され、サブフレーム境界５０６（図５）のアップリンク／ダウンリンク境界に揃えられ、もって、干渉の低減が回避される。
【００５３】
例えばＬＴＥ−Ａネットワーク９０のようなＬＴＥ−Ａ環境内での同時のＢＬＵＥＴＯＯＴＨ送信のアライメントおよびスケジューリングが提供される。マスタ・デバイス９０５は、ＢＬＵＥＴＯＯＴＨ通信を用いて、スレーブ・デバイス９０４と通信している。スレーブ・デバイス９０４は、ＬＴＥ−Ａネットワーク９０によって引き起こされた干渉を受け始め、スケジューリングを求める要求を、マスタ・デバイス９０５へ送信する。本開示の１つの態様では、マスタ・デバイス９０５は、ＬＴＥ−Ａネットワーク９０内で現在展開されているフレーム構造を判定するために、干渉レベルを検出して分析する。判定されたこのフレーム構造を用いて、マスタ・デバイス９０５は、適切なスロット・マップを生成し、リンク・マネジャ・プロトコルを用いて、このスロット・マップとスニフ命令とをＰＤＵで、スレーブ・デバイス９０４へ送信する。マスタ・デバイス９０５とスレーブ・デバイス９０４は、その後、ＬＴＥ−Ａネットワーク９０のアップリンク／ダウンリンク通信境界にしたがって、通信をアライメントおよびスケジューリングするために、判定されたフレーム構造の適切な時間スロットに対応するアクティブな通信期間を確立する。
【００５４】
本開示の代替態様では、干渉レベルを測定および分析する代わりに、マスタ・デバイス９０５は、別のＢＬＵＥＴＯＯＴＨデバイス、無線デバイス９０３と通信し、展開されているＬＴＥ−Ａフレーム構造における何れかの情報を求めてポーリングする。無線デバイス９０３は、ＬＴＥ−Ａフレーム構造に基づいて、このスケジューリングを用いてＵＥ９０２と通信を行っているので、マスタ・デバイス９０５は、ＬＴＥ−Ａネットワーク９０のアップリンク／ダウンリンク通信境界との通信のアライメントのために、スロット・マップおよび現在のフレーム構造構成を取得することができる。
【００５５】
１つの構成では、無線通信のために構成されたＵＥ１２０は、判定する手段と、生成する手段とを含む。１つの態様では、前述の手段は、前述の手段によって詳述された機能を実行するように構成されたプロセッサ（単数または複数）、コントローラ／プロセッサ４８０、およびメモリ４８２でありうる。別の態様では、前述した手段は、前述した手段によって記述された機能を実行するように構成されたモジュールまたは任意の装置でありうる。コントローラ／プロセッサ４８０およびメモリ４８２は、ＢＬＵＥＴＯＯＴＨラジオにおいて実施されるか、ＢＬＵＥＴＯＯＴＨと無線ブロードバンド・サービス（例えば、ＬＴＥ）を提供するマルチファンクション・チップ内に実装されうる。１つの実施形態では、この機能は、シングル・チップ内で具体化される。別の実施形態では、この機能は、複数のチップにわたって具体化される。
【００５６】
図１０は、本開示の態様を実施するように実行されるブロックの例を例示する機能ブロック図である。ブロック１０００では、モバイル無線ブロードバンド・システムのタイミング設定が決定される。ブロック１００１では、このタイミングに基づいて、時間スロット・マップが生成される。時間スロット・マップは、同時動作のために利用可能な、決定されたＴＤＤフレーム構成における各スロットのためのパケット長さ（すなわち、スロット−サイズ）選択情報を特定する。パケット長さ選択情報は、短距離ＴＤＤシステムの通信パケット構造と、ＴＤＤフレーム構成のアップリンク／ダウンリンク境界との整合を提供する。１つの実施形態では、時間スロット・マップが、短距離ＴＤＤデバイスに送信される。ブロック１００２では、ＢＬＵＥＴＯＯＴＨラジオが、この時間スロット・マップにしたがって送信および受信を行う。したがって、ＢＬＵＥＴＯＯＴＨ通信と無線ブロードバンド通信との間の干渉が低減される。なぜなら、各システムのアップリンク通信は、他方のシステムのダウンリンク通信とオーバラップしないからである。
【００５７】
同時通信は、モバイル無線ブロードバンド・システムと短距離ＴＤＤシステムとの両方のために同一場所に配置されたトランシーバを有するＵＥと、短距離ＴＤＤデバイスとの間で生じうるか、または、モバイル無線ブロードバンド・システム内の近隣通信によって干渉が引き起こされうるエリア内に存在する２つの短距離ＴＤＤデバイス間で生じうる。
【００５８】
当業者であれば、情報および信号は、さまざまな異なる技術および技法のうちの何れかを用いて表されうることを理解するであろう。例えば、前述された説明を通じて参照されうるデータ、命令群、コマンド、情報、信号、ビット、シンボル、およびチップは、電圧、電流、電磁波、磁場または磁性粒子、光学場または光学粒子、あるいはこれらの任意の組み合わせによって表現されうる。
【００５９】
図８における機能ブロックおよびモジュールは、プロセッサ、電子デバイス、ハードウェア・デバイス、電子部品、論理回路、メモリ、ソフトウェア・コード、ファームウェア・コード等、またはこれらの任意の組み合わせでありうる。
【００６０】
当業者であればさらに、本明細書の開示に関連して記載されたさまざまな例示的な論理ブロック、モジュール、回路、およびアルゴリズム・ステップが、電子工学ハードウェア、コンピュータ・ソフトウェア、あるいはこれらの組み合わせとして実現されることを理解するであろう。ハードウェアとソフトウェアとの相互置換性を明確に説明するために、さまざまな例示的な構成要素、ブロック、モジュール、回路、およびステップが、これらの機能の観点から一般的に記載された。これら機能がハードウェアとしてまたはソフトウェアとして実現されるかは、特定の用途およびシステム全体に課せられている設計制約に依存する。当業者であれば、特定の用途のおのおのに応じて変化する方式で、前述した機能を実現しうる。しかしながら、この適用判断は、本発明の範囲からの逸脱をもたらすものと解釈されるべきではない。
【００６１】
本明細書の開示に関連して記述されたさまざまな例示的な論理ブロック、モジュール、および回路は、汎用プロセッサ、デジタル信号プロセッサ（ＤＳＰ）、特定用途向け集積回路（ＡＳＩＣ）、フィールド・プログラマブル・ゲート・アレイ（ＦＰＧＡ）あるいはその他のプログラマブル論理デバイス、ディスクリート・ゲートあるいはトランジスタ・ロジック、ディスクリート・ハードウェア構成要素、または上述された機能を実現するために設計された上記何れかの組み合わせを用いて実現または実施されうる。汎用プロセッサは、マイクロ・プロセッサでありうるが、代替例では、このプロセッサは、従来のプロセッサ、コントローラ、マイクロ・コントローラ、またはステート・マシンでありうる。プロセッサは、例えばＤＳＰとマイクロ・プロセッサとの組み合わせ、複数のマイクロ・プロセッサ、ＤＳＰコアと連携する１または複数のマイクロ・プロセッサ、またはその他任意のこのような構成であるコンピューティング・デバイスの組み合わせとして実現されうる。
【００６２】
本明細書の開示に関連して説明された方法またはアルゴリズムのステップは、ハードウェアで直接に、プロセッサによって実行されるソフトウェア・モジュールで、またはこの２つの組合せで実施することができる。ソフトウェア・モジュールは、ＲＡＭメモリ、フラッシュ・メモリ、ＲＯＭメモリ、ＥＰＲＯＭメモリ、ＥＥＰＲＯＭメモリ、レジスタ、ハード・ディスク、リムーバブル・ディスク、ＣＤ−ＲＯＭ、あるいは当該技術分野で知られているその他の型式の記憶媒体に存在しうる。典型的な記憶媒体は、プロセッサが記憶媒体から情報を読み取り、また記憶媒体に情報を書き込むことができるようにプロセッサに結合される。あるいは、この記憶媒体は、プロセッサに統合されうる。このプロセッサと記憶媒体とは、ＡＳＩＣ内に存在しうる。ＡＳＩＣは、ユーザ端末内に存在しうる。あるいは、プロセッサおよび記憶媒体は、ユーザ端末内のディスクリートな構成要素として存在しうる。
【００６３】
１または複数の典型的な設計では、記載された機能は、ハードウェア、ソフトウェア、ファームウェア、あるいはそれらの任意の組み合わせによって実現されうる。ソフトウェアで実現される場合、これら機能は、コンピュータ読取可能な媒体上に格納されるか、あるいは、コンピュータ読取可能な媒体上の１または複数の命令群またはコードとして送信されうる。コンピュータ読取可能な媒体は、コンピュータ記憶媒体と通信媒体との両方を含む。これらは、コンピュータ・プログラムのある場所から別の場所への転送を容易にする任意の媒体を含む。記憶媒体は、汎用コンピュータまたは特別目的コンピュータによってアクセスされうる任意の利用可能な媒体でありうる。限定ではなく、一例として、このようなコンピュータ読取可能な媒体は、ＲＡＭ、ＲＯＭ、ＥＥＰＲＯＭ、ＣＤ−ＲＯＭまたはその他の光ディスク記憶装置、磁気ディスク記憶装置またはその他の磁気記憶装置、あるいは、命令群またはデータ構造の形式で所望のプログラム・コード手段を伝送または格納するために使用され、かつ、汎用コンピュータまたは特別目的コンピュータ、あるいは、汎用プロセッサまたは特別目的プロセッサによってアクセスされうるその他任意の媒体を備えうる。さらに、いかなる接続も、コンピュータ読取可能な媒体として適切に称される。同軸ケーブル、光ファイバ・ケーブル、ツイスト・ペア、デジタル加入者線（ＤＳＬ）、あるいは、例えば赤外線、無線およびマイクロ波のような無線技術を使用して、ウェブサイト、サーバ、あるいはその他の遠隔ソースからソフトウェアが送信される場合、同軸ケーブル、光ファイバ・ケーブル、ツイスト・ペア、ＤＳＬ、あるいは、例えば赤外線、無線およびマイクロ波のような無線技術が、媒体の定義に含まれる。本明細書で使用されるディスク（ｄｉｓｋおよびｄｉｓｃ）は、コンパクト・ディスク（ｄｉｓｃ）（ＣＤ）、レーザ・ディスク（ｄｉｓｃ）、光ディスク（ｄｉｓｃ）、デジタル多用途ディスク（ｄｉｓｃ）（ＤＶＤ）、フロッピー（登録商標）ディスク（ｄｉｓｋ）、およびブルー・レイ・ディスク（ｄｉｓｃ）を含む。これらｄｉｓｃは、レーザを用いてデータを光学的に再生する。それに対して、ｄｉｓｋは、通常、データを磁気的に再生する。前述した組み合わせもまた、コンピュータ読取可能な媒体の範囲内に含まれるべきである。
【００６４】
本開示の上記記載は、当業者をして、本開示の製造または利用を可能とするように提供される。本開示に対するさまざまな変形は、当業者に容易に明らかであって、本明細書で定義された一般原理は、本開示の精神または範囲から逸脱することなく、他のバリエーションに適用されうる。このように、本開示は、本明細書で示された例および設計に限定されることは意図されておらず、本明細書で開示された原理および新規な特徴に一致した最も広い範囲に相当するとされている。
なお、以下に、出願当初の特許請求の範囲に記載された発明を付記する。
［Ｃ１］
モバイル無線ブロードバンド・システムとの短距離時分割デュプレクス（ＴＤＤ）モバイル無線システム（ＭＷＳ）の同時動作のための方法であって、
前記モバイル無線ブロードバンド・システムのタイミング設定を決定することと、
これら両無線システム間の干渉を緩和しながら、前記両無線システムの同時動作を可能にする送信機会と受信機会とを特定する時間スロット・マップを、前記タイミング設定に基づいて生成することと、を備える方法。
［Ｃ２］
前記時間スロット・マップは、前記短距離ＴＤＤシステムの通信パケット構造と、前記タイミング設定が衝突するアップリンク／ダウンリンク境界とを、前記両無線システム間で整合させるパケット長さ選択情報を備える、Ｃ１に記載の方法。
［Ｃ３］
短距離ＴＤＤ  ＭＷＳパケットが、前記タイミング設定のガード帯域と整合するように、前記ガード帯域に基づいて、スニフ・アンカ・ポイントを設定すること、をさらに備えるＣ１に記載の方法。
［Ｃ４］
遠隔の短距離ＴＤＤ  ＭＷＳデバイスへメッセージを送信することをさらに備え、
前記メッセージは、前記タイミング設定において連続するガード帯域間の期間に等しい、前記遠隔の短距離ＴＤＤ  ＭＷＳデバイスのためのアクティブな通信期間を設定する、Ｃ１に記載の方法。
［Ｃ５］
前記決定することと、前記生成することとは、マルチ・システム・デバイスにおいて行われ、
前記マルチ・システム・デバイスは、前記モバイル無線ブロードバンド・システムにおいて通信しており、前記短距離ＴＤＤ  ＭＷＳにおいて、遠隔の短距離ＴＤＤ  ＭＷＳデバイスと通信する、Ｃ１に記載の方法。
［Ｃ６］
前記決定することは、前記タイミング設定を示す干渉パターンを検知することを備え、
前記検知することと、前記生成することと、前記送信することとは、第１の短距離ＴＤＤ  ＭＷＳデバイスと通信している第２の短距離ＴＤＤ  ＭＷＳデバイスにおいて行われる、Ｃ１に記載の方法。
［Ｃ７］
前記短距離ＴＤＤ  ＭＷＳは、ＢＬＵＥＴＯＯＴＨ（登録商標）システムを備え、
前記モバイル無線ブロードバンド・システムは、ロング・ターム・イボリューション（ＬＴＥ）ネットワーク、およびＷｉＭＡＸネットワークのうちの１つを備える、Ｃ１に記載の方法。
［Ｃ８］
モバイル無線ブロードバンド・システムとの短距離時分割デュプレクス（ＴＤＤ）モバイル無線システム（ＭＷＳ）の同時動作のための装置であって、
メモリと、
前記メモリに接続された少なくとも１つのプロセッサとを備え、
前記少なくとも１つのプロセッサは、
前記モバイル無線ブロードバンド・システムのタイミング設定を決定し、
これら両無線システム間の干渉を緩和しながら、前記両無線システムの同時動作を可能にする送信機会と受信機会とを特定する時間スロット・マップを、前記タイミング設定に基づいて生成するように構成された、装置。
［Ｃ９］
前記少なくとも１つのプロセッサはさらに、短距離ＴＤＤ  ＭＷＳパケットが、前記タイミング設定のガード帯域と整合するように、前記ガード帯域に基づいて、スニフ・アンカ・ポイントを設定するように構成された、Ｃ８に記載の装置。
［Ｃ１０］
前記少なくとも１つのプロセッサはさらに、遠隔の短距離ＴＤＤ  ＭＷＳデバイスへメッセージを送信するように構成され、
前記メッセージは、前記タイミング設定において連続するガード帯域間の期間に等しい、前記遠隔の短距離ＴＤＤ  ＭＷＳデバイスのためのアクティブな通信期間を設定する、Ｃ８に記載の装置。
［Ｃ１１］
前記少なくとも１つのプロセッサはさらに、前記タイミング設定を示す干渉パターンを検知することよって決定するように構成された、Ｃ８に記載の装置。
［Ｃ１２］
前記短距離ＴＤＤ  ＭＷＳは、ＢＬＵＥＴＯＯＴＨ（登録商標）システムを備え、
前記モバイル無線ブロードバンド・システムは、ロング・ターム・イボリューション（ＬＴＥ）ネットワーク、およびＷｉＭＡＸネットワークのうちの１つを備える、Ｃ８に記載の装置。
［Ｃ１３］
前記時間スロット・マップは、前記短距離ＴＤＤシステムの通信パケット構造と、前記タイミング設定が衝突するアップリンク／ダウンリンク境界とを、前記両無線システム間で整合させるパケット長さ選択情報を備える、Ｃ８に記載の装置。
［Ｃ１４］
モバイル無線ブロードバンド・システムとの短距離時分割デュプレクス（ＴＤＤ）モバイル無線システム（ＭＷＳ）の同時動作のためのコードを格納したコンピュータ読取可能な媒体であって、
前記モバイル無線ブロードバンド・システムのタイミング設定を決定するコードと、
これら両無線システム間の干渉を緩和しながら、前記両無線システムの同時動作を可能にする送信機会および受信機会を特定する時間スロット・マップを、前記タイミング設定に基づいて生成するコードと、を備えるコンピュータ読取可能な媒体。
［Ｃ１５］
前記時間スロット・マップは、前記短距離ＴＤＤシステムの通信パケット構造と、前記タイミング設定が衝突するアップリンク／ダウンリンク境界とを、前記両無線システム間で整合させるパケット長さ選択情報を備える、Ｃ１４に記載のコンピュータ読取可能な媒体。
［Ｃ１６］
短距離ＴＤＤ  ＭＷＳパケットが、前記タイミング設定のガード帯域と整合するように、前記ガード帯域に基づいて、スニフ・アンカ・ポイントを設定するコードをさらに備える、Ｃ１４に記載のコンピュータ読取可能な媒体。
［Ｃ１７］
遠隔の短距離ＴＤＤ  ＭＷＳデバイスへメッセージを送信するコードをさらに備え、
前記メッセージは、前記タイミング設定において連続するガード帯域間の期間に等しい、前記遠隔の短距離ＴＤＤ  ＭＷＳデバイスのためのアクティブな通信期間を設定する、Ｃ１４に記載のコンピュータ読取可能な媒体。
［Ｃ１８］
前記決定するコードは、前記タイミング設定を示す干渉パターンを検知するコードを備える、Ｃ１４に記載のコンピュータ読取可能な媒体。
［Ｃ１９］
前記短距離ＴＤＤ  ＭＷＳは、ＢＬＵＥＴＯＯＴＨ（登録商標）システムを備え、
前記モバイル無線ブロードバンド・システムは、ロング・ターム・イボリューション（ＬＴＥ）ネットワーク、およびＷｉＭＡＸネットワークのうちの１つを備える、Ｃ１４に記載のコンピュータ読取可能な媒体。
［Ｃ２０］
モバイル無線ブロードバンド・システムとの短距離時分割デュプレクス（ＴＤＤ）モバイル無線システム（ＭＷＳ）の同時動作のためのシステムであって、
前記モバイル無線ブロードバンド・システムのタイミング設定を決定する手段と、
これら両無線システム間の干渉を緩和しながら、前記両無線システムの同時動作を可能にする送信機会と受信機会とを特定する時間スロット・マップを、前記タイミング設定に基づいて生成する手段と、を備えるシステム。
［Ｃ２１］
前記時間スロット・マップは、前記短距離ＴＤＤシステムの通信パケット構造と、前記タイミング設定が衝突するアップリンク／ダウンリンク境界とを、前記両無線システム間で整合させるパケット長さ選択情報を備える、Ｃ２０に記載のシステム。
【図１】
0005876048.tif 000002
【図２】
0005876048.tif 000003
【図３】
0005876048.tif 000004
【図４】
0005876048.tif 000005
【図５】
0005876048.tif 000006
【図６】
0005876048.tif 000007
【図７】
0005876048.tif 000008
【図８】
0005876048.tif 000009
【図９】
0005876048.tif 000010
【図１０】
0005876048.tif 000011